(57)【要約】【課題】チューブ体に関して、特に、必要な空間を小さくし、また、重量が軽いことを特徴とする、改善された実施形態を提供する。【解決手段】本発明は、燃焼機関、特に動力車の燃焼機関の、排ガスシステム（２）用の排ガスを案内するチューブ体（１）であって、前記チューブ体（１）には、前記排ガスに面している内側（５）、および／または、前記排ガスから離間している外側（６）において、ナノ粒子を基礎とする合成セラミックより成るコーテイング（７、８）が施されているチューブ体（１）に関する。【選択図】図１
2011149430.tif 000002
【特許請求の範囲】
【請求項１】
燃焼機関の、特に動力車の燃焼機関の、排ガスシステム（２）用の排ガスを案内するチューブ体（１）であって、
前記チューブ体（１）には、前記排ガスに面している内側（５）、および／または、前記排ガスから離間している外側（６）において、ナノ粒子を基礎とする合成セラミックより成るコーテイング（７、８）が施されていることを特徴とするチューブ体（１）。
【請求項２】
前記各コーテイング（７、８）は、前記チューブ体（１）の壁厚（１１）よりも薄く、
特に、前記各コーテイング（７、８）の層厚（９、１０）が、前記チューブ体（１）の前記壁厚（１１）の１／１００から１／１０までの領域内に在るように設計することが可能であることを特徴とする請求項１に記載のチューブ体（１）。
【請求項３】
前記内側および前記外側（５、６）がコーテイングされ、
前記内側（５）に設けられた内側コーテイング（７）は、少なくとも一つのパラメータに関して、前記外側（６）に設けられた外側コーテイング（８）とは異なって形成されており、
特に、前記コーテイング（７、８）は、有孔率、表面粗さ、層厚、熱膨張係数、熱放射係数、弾性率、引張り強度、および圧縮強度からなるパラメータ群の少なくとも一つのパラメータに関して、互いに異なっていることを特徴とする請求項１または２に記載のチューブ体（２）。
【請求項４】
前記各コーテイング（７、８）は、前記チューブ体（１）の厚さ方向（１２）、および／または、前記チューブ体（１）の長手方向（１３）、および／または、前記チューブ体（１）の周方向において、少なくとも一つの変化するパラメータを有しており、
特に、前記各コーテイング（７、８）は、有孔率、粗さ、層厚、熱膨張係数、熱放射係数、弾性率、引張り強度、および圧縮強度からなるパラメータ群の少なくとも一つのパラメータに関し、前記各方向（１２、１３、１４）において変化するように設計することが可能であることを特徴とする請求項１〜３のいずれか１項に記載のチューブ体（１）。
【請求項５】
前記各コーティング（７、８）は、温度に依存する熱放射係数を有しており、
特に、第１の温度（Ｔ１）未満での前記熱放射係数は、前記第１の温度（Ｔ１）に等しいか、または、前記第１の温度（Ｔ１）より大きい第２の温度（Ｔ２）より上での前記熱放射係数より小さくなるような設計を実現することが可能であるとことを特徴とする請求項１〜４のいずれか１項に記載のチューブ体（１）。
【請求項６】
前記各コーテイング（７、８）は、前記チューブ体（１）に等しい前記熱放射係数を有していることを特徴とする請求項１〜５のいずれか１項に記載のチューブ体（１）。
【請求項７】
前記各コーテイング（７、８）は、前記チューブ体（１）よりも小さい熱膨張係数を有し、
前記各コーテイング（７、８）はマイクロ構造（１５）を有しており、前記各コーテイング（７、８）は複数の別々のコーテイング部（１６）より構成され、前記チューブ体（１）に固定されてはいるが、互いに相対的に前記チューブ体（１）と共に移動可能であることを特徴とする請求項１〜５のいずれか１項に記載のチューブ体（１）。
【請求項８】
前記マイクロ構造（１５）は、前記厚さ方向（１２）において、前記各コーテイング（７、８）を、少なくとも部分的に貫通する裂け目（１８）、および／または、溝（１７）により形成され、
特に、前記マイクロ構造（１５）は、前記裂け目（１８）、および／または、前記溝（１７）が所定の温度未満で閉じることを特徴とする請求項７に記載のチューブ体（１）。
【請求項９】
前記チューブ体（１）は、
排ガスを排ガス処理装置に案内するためのチューブ、排ガスを排ガス処理装置から排出するためのチューブ、排ガス処理装置内のチューブ、排ガス処理装置の例えば漏斗またはケースのようなハウジングまたはハウジング部、および熱交換器特に排ガス熱交換器のチューブ若しくは導管または排ガス循環熱交換器のチューブ若しくは導管からなる部品群の少なくとも一つの部品であることを特徴とする請求項１〜８のいずれか１項に記載のチューブ体（１）。
【請求項１０】
燃焼機関の、特に動力車の燃焼機関の、排ガスシステムであって、請求項１〜９のいずれか１項に記載のチューブ体（１）を少なくとも一つ備えた排ガスシステム。
【発明の詳細な説明】
【技術分野】
【０００１】
本発明は、燃焼機関の、特に動力車の燃焼機関の、排ガスシステム用の排ガスを案内するチューブ体に関する。また、本発明は、そのような少なくとも一つのチューブ体を備えた排ガスシステムに関する。
【背景技術】
【０００２】
排ガスシステム内では、さまざまな理由により、外部への、または、内部への断熱を実現することが必要な場合がある。一方で、排ガスシステム内を移送される排ガスの高温度から、排ガスシステムの環境を保護することが必要な場合がある。この目的のために、排ガスシステムは、少なくとも特定の領域で、外側に対して断熱される。他方、例えば、特定の排ガス処理装置のために、できるだけ迅速に、所定の動作温度、または、再生温度に達するのを可能にするか、あるいは、また、排ガスからの熱の排出が比較的少ない燃焼機関の動作状態において、ある特定の動作温度を維持するのを可能するために、排ガスシステム内を移送される排ガスの高温度を維持することが望ましい場合がある。この目的のために、排ガスシステムは、少なくとも特定の領域で、内側に対して断熱される。例えば、ＳＣＲ触媒コンバータ、または、ＮＯｘ貯蔵触媒コンバータのような酸化触媒コンバータは、所望の排ガス浄化機能を、十分な効果をもって実行するのを可能にするために、所定の動作温度を必要とする。さらに、例えば、粒子フィルタは、再生プロセスの実行を可能とするために、所定の再生温度を必要とする。
【発明の概要】
【発明が解決しようとする課題】
【０００３】
排ガスシステム内で、例えば、チューブ体を断熱するために、そのチューブ体を二重壁にし、その壁内で、空隙による断熱を実現することが基本的に可能である。その場合、そのような二重壁の設計は、一方で、多くの空間を必要とし、他方で、部品の重量が増加するという欠点がある。チューブ体の外側に絶縁層を取り付けようとすると、その排ガスシステムが高い温度変動に曝され、各チューブ体と各コーテイングとの間における熱膨張係数のほんの小さなずれによって、そのようなコーテイングの耐久性が劣化するという別な問題が発生する。
【０００４】
本発明は前記の問題に対処し、冒頭で述べたタイプのチューブ体、あるいは、それを備えた排ガスシステムに関して、特に、必要な空間を小さくし、また、重量が軽いことを特徴とする、改善された実施形態を提供するものである。さらに、比較的良好な耐久性を実現するものである。
【課題を解決するための手段】
【０００５】
本発明によると、上述の問題は独立請求項の主題によって解決される。他の好適な実施形態は従属請求項の主題である。
【０００６】
本発明は、前記チューブ体を、ナノ粒子を基礎とする合成セラミックでコーテイングするという一般的な考えに基づいている。そのようなコーテイングは、特に、熱的に絶縁する方法で形成することができる。例えば、少なくとも所定の温度範囲での放射率を、０．５以下とすることができる。この場合、排ガスに面する内側のみにおいて、ナノ粒子を基礎とする合成セラミックで、チューブ体にコーテイングを施すことが実現可能である。これによって、適切な放射率で、排ガスからチューブ体への放射熱伝導を大幅に低減することができる。代わりに、排ガスから離間した外側のみにおいて、ナノ粒子を基礎とする合成セラミックで、チューブ体にコーテイングを施すことが実現可能である。これによって、チューブ体から周囲への熱伝導、つまり、特に、熱放射を大幅に低減することができる。さらに、内側においても、外側においても、それぞれ、ナノ粒子を基礎とする合成セラミックで、チューブ体にコーテイングを施すことが、同様に実現可能であり、これにより、一方で、排ガスからチューブ体への熱伝導、他方で、チューブ体から周囲への熱伝導を低減する。
【０００７】
合成セラミックは、通常、例えば焼結によって互いに結合された様々なセラミック材料の配合により形成されている。この目的のために、個々のセラミック材料は、粒子の形で存在し、その後、共に、合成セラミックを形成することができる。同様に、セラミック母材中にセラミック粒子を添加することが可能である。ナノ粒子を基礎とする合成セラミックの場合、その合成セラミックの製造に用いられる粒子はナノメートル領域の粒子サイズを有している。この場合、１桁から３桁までのナノメートル値が可能である。
【０００８】
ナノ粒子を基礎として製造された合成セラミックは、使用するナノ粒子を選択、および、配合することによって、様々なパラメータに関し、目的に応じて、形成することができる。例えば、コーテイング用に、熱膨張係数を、チューブ体の熱膨張係数にほぼ等しくなるように、設定することができる。これによって、チューブ体、または、排ガスシステムの使用温度範囲全体に渡って、コーテイングとチューブ体との間の、特に、強くて、長期に渡って安定した結合を実現することができる。さらに、熱放射係数、いわゆる、放射率は比較的正確に設定される。これによって、特に、外側への熱放射を大幅に低減することが可能である。このようなコーテイングのさらに特別有利な点は、所望の断熱効果を実現するには、チューブ体にコーテイングを、比較的薄く施せば十分であるということである。したがって、このようなコーテイングは、空間をほとんど必要とせず、その上、チューブ体の大幅な重量増加に至ることはない。
【０００９】
例えば、各コーテイングは、赤外領域において、約０．２の放射率を達成するように設計することができる。これに対して、コーテイングしていない金属体は約０．９の放射率を有している。つまり、コーテイングによって、熱放射の大幅な低減が実現可能である。
【００１０】
特に好適な実施形態は、各コーテイングが、そのコーテイング厚に関して、チューブ体の壁厚より薄いという実施形態である。コーテイングは、例えば、チューブ体の壁厚の１／１００から１／１０の範囲で実現可能である。排ガスシステム用のチューブ体の一般的な壁厚は、例えば、１．５ｍｍである。コーテイングは、これに対して、大幅に薄く、例えば、０．０１５ｍｍから０．１５ｍｍのコーテイング厚を実現できる。そのため、チューブ体の壁厚が増加することはほとんどない。
【００１１】
チューブ体において、内側と同様に、外側にもこのようなコーテイングを施すと、内側に設けられた内側コーテイングは、少なくとも一つのパラメータに関して、外側に設けられる外側コーテイングとは異なった構成、または、設計を行うことが一つの好適な実施形態によって実現することが可能である。有用なパラメータは、例えば、コーテイングの有孔率、コーテイングの表面粗さ、層厚、熱膨張係数、熱放射係数、弾性率、引張り強度、圧縮強度である。
【００１２】
付加的に、または、代替的に、チューブ体の厚さ方向、および／または、長手方向、および／または、チューブ体の周方向において、少なくとも一つのパラメータが変化するように，各コーテイングを形成することが可能である。例えば、曲がっているチューブ体では、各コーテイングを外側と内側とで異なるように形成することが実用的である。
【００１３】
特に好適な実施形態は、各コーテイングが、温度に依存する熱放射係数を有している実施形態である。例えば、それによって、チューブ体は、コーテイングに関して、排ガスシステムの所定の動作条件、または、動作温度範囲において、より良く適合する。
【００１４】
例えば、第１の温度未満での前記熱放射係数は、前記第１の温度に等しいか、または、前記第１の温度より大きい第２の温度より高い温度での前記熱放射係数より小さくなるような設計を実現することが可能である。例えば、それによって、所定の最低温度、または、動作温度の維持が実現可能となる。例えば、チューブ体の温度が、例えば６００℃という所定の境界温度未満であれば、次の（放射に関する）部品、例えば、ＳＣＲ触媒コンバータをその動作温度に保持するためには、小さな熱伝導、および、小さな熱放射が望ましい。さらに、提案した設計によれば、過熱保護を実現することが可能で、この場合、例えば、排ガスの高い熱量、例えば、７００℃という他の所定の境界温度から、可能な限り多くの熱が流出する。これは、例えば、温度と共に変化する放射率によって達成され、温度上昇と共に増加することになる。
【００１５】
基本的に、各コーテイングはチューブ体とほぼ等しい熱膨張係数を有することができる。これは、温度範囲全体に渡って、特に高い長期耐久性、および、一定の特性につながる。
【００１６】
代わりの実施形態では、各コーテイングは、特に、チューブ体よりも小さな熱膨張係数を有している。この実施形態では、各コーテイングは複数の個別のコーテイング部で構成され、各々、チューブ体としっかりと結合されたマイクロ構造を備えているが、それにもかかわらず、チューブ体の熱膨張と共に複数の個別のコーテイング部は相対的に互いに移動可能である。このようなマイクロ構造は、例えば、コーテイング表面の溝、または、裂け目によって実現可能である。このようなマイクロ構造によって、コーテイングの様々な熱膨張に関して、少なくとも一つの、温度に依存したパラメータを実現することができる。例えば、上述の溝、または、裂け目は、低い温度では比較的小さいか、または、閉じており、これによって、各コーテイングは、断熱に関して、高い効果を有している。高温では、チューブ体の膨張により、個々のコーテイング部は互いに離間し、これによって、上述の溝、または、裂け目は大きくなる。その結果、コーテイングの絶縁特性は劣化する。つまり、温度上昇と共に、断熱性は低下し、これは、熱の流出を大きくし、過熱保護作用を実現することもできる。
【００１７】
本発明の他の重要な特徴ならびに効果は、従属請求項、図面、および図面に基づく説明より明らかになる。
【００１８】
上述した特徴、および以下に述べる特徴は、本発明の範囲を逸脱することなく、記載している各組み合わせにおいてだけでなく、他の組み合わせ、あるいは、単独で利用できることは明白である。
【発明の効果】
【００１９】
本発明によると、冒頭で述べたタイプのチューブ体、あるいは、それを備えた排ガスシステムに関して、特に、必要な空間を小さくし、また、重量が軽いことを特徴とする、改善された実施形態を提供することができる。
【図面の簡単な説明】
【００２０】
【図１】チューブ体の断面図である。
【図２】図１におけるチューブ体の長手方向断面図である。
【図３】図１におけるチューブ体の断面図であり、他の実施形態を示す図である。
【図４】図３におけるチューブ体の長手方向断面図である。
【図５】図３と図４におけるチューブ体の部分側断面図である。
【発明を実施するための形態】
【００２１】
本発明の好適な実施例は図示されるとともに、以下に、さらに詳細に説明されるが、同一か、類似しているか、または、機能的に同一の構成要素は同一の参照符号で示す。
【００２２】
以下の図面は、それぞれ、概略を示している。図１は、チューブ体の断面図である。図２は、図１におけるチューブ体の長手方向断面図である。図３は、図１におけるチューブ体の断面図であり、他の実施形態を示す図である。図４は図３におけるチューブ体の長手方向断面図である。図５は、図３と図４におけるチューブ体の部分側断面図である。
【００２３】
図１から図４は、各々、断面図、または、長手方向断面図によって、チューブ体１を部分的に示している。チューブ体１は排ガスシステム２の構成要素を好適に形成しており、排ガスシステム２は、少なくとも一つのチューブ体１を有している以外、何も示されていない。この場合、排ガスシステム２は、また、２個、あるいは、それ以上の同様のチューブ体１を有することができるのは明らかである。
【００２４】
排ガスシステム２は燃焼機関の排ガスの排出に有用で、特に、動力車に配置することが可能である。したがって、同様に、チューブ体１も排ガスの移送に有用である。対応する排ガス流は、図２、および、図４において、符号３で示す矢印によって示されている。
【００２５】
図１から図４の例では、チューブ体１は円形断面によって実現されている。基本的に、他の断面を形成することが可能であることは明らかである。この場合、他の円形形状、または、任意の断面形状を扱うことができる。
【００２６】
チューブ体１は壁４を有しており、その壁の内面はチューブ体１の内側５を形成し、外面はチューブ体１の外側６を形成している。内側５は排ガスに面しており、外側６は排ガスから離間している。
【００２７】
ここで示す実施形態では、チューブ体１は、その内側５に、コーテイング７を備えており、コーテイング７は、以後、内側コーテイング７とも呼ぶ。また、チューブ体１は、その外側６に、コーテイング８を備えており、コーテイング８は、以後、外側コーテイング８とも呼ぶ。チューブ体１の第１の代替実施形態では、内側５のみにこのようなコーテイング７を施して、実現することができる。チューブ体１の第２の代替実施形態では、外側６のみにこのようなコーテイング８を施して、実現することができる。内側コーテイング７のみ、または、外側コーテイング８のみ存在するか、または、両方のコーテイング７、８が存在するかに関係なく、各コーテイング７、８はナノ粒子を基礎とする合成セラミックより成る。つまり、各コーテイング７、８はセラミック粒子によって製造され、その粒子の大きさはナノメートルの領域にある。この場合、セラミック母材にセラミック粒子を添加して、合成セラミックを形成することが、特に、実現可能である。このような合成セラミックは、焼結プロセスによって製造することが好ましい。例えば、壁４の各表面に粉末コーテイングを施し、その後、焼結を行う。しかし、基本的に、例えば、スプレーコーテイングのような、他の製造方法、あるいは、コーテイング方法が考えられる。
【００２８】
各コーテイング７、８は、チューブ体１の壁４の壁厚１１より小さい層厚９または１０を有していることが好ましい。その例での層厚９、１０は、最大で壁厚１１の半分の大きさである。しかし、コーテイング７、８は壁４より大幅に薄いのが実用的である。特に、壁４は、各コーテイング７、８の少なくとも１０倍は厚い。層厚９、１０がチューブ体１の壁厚１１の１／１００から１／１０の範囲になるように、コーテイング７、８を実現することが実用的である。これに対して、壁厚１１は、通常、約１ｍｍか、または、０．５ｍｍから２．５ｍｍの範囲にある。
【００２９】
ここで示す実施形態において両側５、６がコーテイングされたように、好適な実施形態によれば、内側コーテイング７および外側コーテイング８は、少なくとも一つのパラメータに関して、異なって実現することが可能である。例えば、両方のコーテイング７、８は、次のパラメータの少なくとも一つに関して、異なって形成するか、または、設計することができる、つまり、コーテイング７、８の有孔率、コーテイング７、８の表面粗さ、層厚９、１０、熱膨張係数、および熱放射係数である。これによって、異なる要求に対して、各コーテイング７、８を最適に適合させることが可能である。例えば、内側コーテイング７は、特に、刺激性の排ガスに対して適合し、高い排ガス温度に耐えられなければならず、また、排ガス流３との摩擦をできる限り小さくして、チューブ体１内の流れ抵抗をできる限り小さくすべきである。これに対して、外側コーテイング８は、排ガスシステム２の比較的刺激性のある環境条件に耐えなければならない。設計によっては、外側コーテイング８は、小さな空気速度において、チューブ体１から、このチューブ体１に外から流れてくる空気への熱伝導を、できるだけ良好なものにできることという要求がなされることがある。
【００３０】
また、異なるコーテイング７、８に加えて、または、代わりに、コーテイング７、８の少なくとも一つは、図１から図４に矢印で示す厚さ方向１２において、変化するパラメータを有することが可能である。これに加えて、または、代わりに、各コーテイング７、８は、二重矢印で示すチューブ体１の長手方向１３において、少なくとも一つの変化するパラメータを有することが可能である。これに加えて、または、代わりに、各コーテイング７、８は、二重矢印で示す周方向１４において、少なくとも一つの変化するパラメータを有することが可能である。例えば、長手方向１３において、放射率、つまり、熱放射係数は変化することができる。例えば、周方向１４において、例えば、曲がったチューブ体１の場合、熱膨張係数は変化することができる。同様に、有孔率は厚さ方向１２において変化することが可能である。
【００３１】
各コーテイング７、８内で、厚さ方向１２、および／または、長手方向１３、および／または、周方向１４において変化することができるパラメータは、特に、有孔率、粗さ、層厚、熱膨張係数、熱放射係数であって、この場合、このようなパラメータの任意の組み合わせも考えられる。この場合、各コーテイング７、８内での、厚さ方向１２、および／または、長手方向１３、および／または、周方向１４における少なくとも一つのパラメータの変化は、二つのコーテイング７、８が形成されているか、内側コーテイング７のみ形成されているか、または、外側コーテイング８のみ形成されているかに関係なく、実現することが可能である。
【００３２】
上述の実施形態の少なくとも一つを選択して、または、追加することによって実現することができる、さらに、特に好適な実施形態によれば、コーテイング７、８の少なくとも一つは、温度に依存した熱放射係数を備えることが可能である。つまり、各コーテイング７、８の熱放射係数は温度と共に変化する。第１の温度Ｔ１未満での熱放射係数は、第２の温度Ｔ２より高い温度での熱放射係数より小さくなるように実現できることが好ましい。この場合、第２の温度Ｔ２は第１の温度Ｔ１より大きな温度、つまり、Ｔ２>Ｔ１が可能である。同様に、理論的には、２つの温度Ｔ１、Ｔ２は、Ｔ１＝Ｔ２、つまり、ほぼ等しい大きさになるように選択することが可能で、これによって、放射率の素早い切り替えが実現可能である。例えば、第１の温度Ｔ１として約６００℃を選択し、第２の温度Ｔ２として約７００℃に設定することが可能である。これで、熱放射係数に関して、チューブ体１が約６００℃の温度までにおいて比較的小さな放射率を有するように、チューブ体１を各コーテイング７、８で形成することが可能であり、これによって、各コーテイング７、８は、比較的高い断熱効果を有する。これは、移送される排ガスが、比較的少ない熱しか運ばない燃焼機関の使用段階において、所定の使用温度をそのまま維持するのに有用である。これによって、例えば、酸化触媒コンバータ、または、ＳＣＲ触媒コンバータ、または、ＮＯX貯蔵触媒コンバータのための適切な機能を実現することが可能である。しかし、燃焼機関が、例えば、比較的多くの熱が排ガスに含まれている全負荷の使用状態で作動している場合、同じ効率の断熱では、特定部品の過熱につながる。ここで示した提案は、これに対して、逆に作用する。というのは、第２の温度Ｔ２より高い温度での熱放射は大幅に高く設計されているので、チューブ体１はより多くの熱を、外に移送、特に、放射することができるのである。これにより、温度に依存した断熱によって、過熱保護がある程度実現可能である。これは、各コーテイング７、８に対応した設計によって可能である。
【００３３】
温度Ｔ１とＴ２との間では、放射率がゆっくりと変化することが可能である。また、放射率はＴ１未満と、Ｔ２より高い温度でゆっくりと変化することも可能で、特に、温度と放射率との間に比例関係が成立する。
【００３４】
図１と図２に示す実施形態では、実用的に、各コーテイング７、８は、チューブ体１、または、チューブ体１の壁４にほぼ等しい熱膨張係数を有している。その結果、コーテイング７、８は、壁４の熱膨張、つまり、膨張および収縮に追従することが可能で、壁４と各コーテイング７、８との間に熱による応力が生じることはない。したがって、各コーテイング７、８と壁４との接合部には比較的小さな荷重しかかからないため、チューブ体１、または、壁４におけるコーテイング７、８について比較的高い長期耐久性が得られる。
【００３５】
これに対して、図３から図５に示す実施形態では、各コーテイング７、８は、チューブ体１の材料、または、壁４の材料より小さい熱膨張係数を有している。このような実施形態では、各コーテイング７、８はマイクロ構造１５を有している。図３から図５までの例では、両方のコーテイング７、８は、このようなマイクロ構造１５を有している。内側コーテイング７のみ、または、外側コーテイング８を有し、各コーテイング７、８にマイクロ構造１５を形成する実施形態も考えられるのは明らかである。同様に、内側コーテイング７も、外側コーテイング８も存在するにもかかわらず、両方のコーテイング７、８の一方だけが、チューブ体１より小さい熱膨張係数を有し、マイクロ構造１５を備えている実施形態が考えられる。
【００３６】
特に、各マイクロ構造１５は、マイクロ構造１５が形成されたコーテイング７、８は、複数の個別のコーテイング部１６により構成されていることを特徴としている。個別のコーテイング部１６は、夫々、チューブ体１、または、その壁４にしっかりと固定されている。しかし、コーテイング部１６は、チューブ体１の熱膨張効果に追随できるので、互いに相対的にチューブ体１と共に移動可能である。
【００３７】
各マイクロ構造１５は、例えば、表面に設けられた溝１７によって形成することが可能で、この場合、各溝１７は、厚さ方向１２において、少なくとも部分的に各コーテイング７、８を貫通する。図示した例では、溝１７はコーテイング７、８を完全には貫通していない。しかし、溝１７が、厚さ方向１２において、コーテイング７、８を完全に貫通し、これによって、溝のベースが、壁４の各表面５、６によって形成される実施例も基本的に可能である。溝１７の代わりに、マイクロ構造１５が裂け目１８によって形成され、この裂け目１８が、厚さ方向１２において、各コーテイング７、８を少なくとも部分的に、好ましくは、完全に貫通することも可能である。
【００３８】
溝１７は、切削加工、エッチング、または、テンプレートによって製造することが可能である。裂け目１８は、例えば、各コーテイング７、８を比較的低温度で張り付け、その後、チューブ体１を各コーテイング７、８と共に加熱することによって製造することができる。各コーテイング７、８の熱膨張係数は小さいので、チューブ体１が熱膨張することによって、裂け目が形成される。所定の方法で裂け目１８の形成を可能にするために、コーテイング７、８を所望の方法で掘り込み、その後、その掘り込みに沿って裂け目を形成するのも特に可能である。所定の温度未満で、溝１７または裂け目１８が、完全に、または、ほぼ完全に閉じるように、マイクロ構造１５が形成される実施例は特に好ましい。これは、前に述べた裂け目１８の製造手順によって、特に、容易に実現される。
【００３９】
マイクロ構造１５を備えた各コーテイング７、８を形成することによって、コーテイング７、８の温度に依存する少なくとも一つのパラメータを得ることが可能である。例えば、マイクロ構造１５によって、各コーテイング７、８の断熱効果に明らかな温度依存性を持たせることが可能である。低温度では、溝１７、または、裂け目１８は比較的小さく、特に、閉じられており、これにより、各コーテイング７、８は、その断熱効果に関して比較的高い効果を有している。温度上昇と共に、チューブ体１は各コーテイング７、８より大きく膨張し、これにより、一方で、コーテイング部１６は互いに相対的に移動し、他方で、溝１７、または、裂け目１８は大きくなる。これにより、各コーテイング７、８の断熱効果は劣化する。その結果、温度上昇と共に、チューブ体１はより多くの熱を周囲に伝達、特に、周囲に放射することができる。この設計により、このようにして、一定の過熱保護を実現することも同様に可能である。
【００４０】
以上に説明した様々な実施形態は、実用的である限り、ある程度所望通りに組み合わせることができる。
【００４１】
チューブ体１は、例えば、排ガスを排ガス処理装置に送出するチューブ、または、排ガス処理装置から排出するチューブとすることができる。同様に、チューブ体１は、排ガス処理装置内のチューブとすることができる。さらに、チューブ体１は、排ガス処理装置のハウジング、または、ハウジング部、例えば、漏斗、または、ケースとすることができる。さらに、チューブ体１は、排ガス用熱交換器置のチューブ、または、導管、あるいは、排ガス用循環熱交換器のチューブ、または、導管とすることができる。この点、本発明は、燃焼機関、特に動力車の燃焼機関の、排ガスシステム２用の排ガス処理装置であって、そのような少なくとも一つのチューブ体１を、特に、チューブ、または、ハウジング、または、ハウジング部の形で含むか、または、備えている排ガス処理装置にも関する。さらに、本発明は、特に、燃焼機関、好ましくは動力車の燃焼機関の、排ガスシステム２用の熱交換器であって、少なくとも一つのチューブが、そのようなチューブ体１により形成されている熱交換器にも関する。
【符号の説明】
【００４２】
１  チューブ体
２  排ガスシステム
３  排ガス流
４  壁
５  内側
６  外側
７  コーティング
８  コーティング
９  層厚
１０  層厚
１１  壁厚
１２  厚さ方向
１３  長手方向
１４  周方向
１５  マイクロ構造
１６  コーティング部
１７  溝
１８  裂け目
【図１】
2011149430.tif 000003
【図２】
2011149430.tif 000004
【図３】
2011149430.tif 000005
【図４】
2011149430.tif 000006
【図５】
2011149430.tif 000007